(57)【要約】      （修正有）【課題】ダッシュボード上に角度調整可能に固定するとともに、携帯端末を片手でワンタッチで取り付け取り外しできるようにする車載用ホルダを提供する。【解決手段】携帯端末の車載用ホルダは、ホルダ本体１と、車室内面に固定されてホルダ本体を上下左右に傾動可能に連結した支持部とを備え、ホルダ本体は、携帯端末の背面に当接する背板１２と、背板の下部に配置されて携帯端末の底部に当接する底板１７と、底板の上部に一体化されて背板内部を昇降するガイドバー１６と、背板の左右に配置されて携帯端末の左右側縁に当接する一対の側板１９と、一対の側板のそれぞれに一体化されて背板の内部に出没可能なガイドアーム１８と、ガイドバー１６を常時上昇位置に付勢するばね２７と、ガイドバーの昇降動作に連繋して左右のガイドアーム１８同士を離接させるラック２０、２３とピニオン２２からなる連繋機構１５を備えた。【選択図】図２
0003211364.tif 000002
【実用新案登録請求の範囲】
【請求項１】
車室内面に固定されて携帯端末（Ｋ）の画面を運転者または助手席の乗員に対向位置させる携帯端末の車載用ホルダであって、
該車載用ホルダのホルダ本体（１）は、携帯端末の背面に当接する背板（１２）と、該背板の下部に配置されて前記携帯端末の底部に当接する底板（１７）と、該底板の上部に一体化されて前記背板内部を昇降するガイドバー（１６）と、前記背板の左右に配置されて前記携帯端末の左右側縁に当接する一対の側板（１９）と、該両側板のそれぞれに一体化されて前記背板の内部に出没可能なガイドアーム（１８）と、前記ガイドバーを常時上昇位置に付勢するばね（２７）と、前記ガイドバーの昇降動作に連繋して前記左右のガイドアーム同士を離接させる連繋機構（１５）を備えたものであることを特徴とする携帯端末の車載用ホルダ。
【請求項２】
前記連繋機構（１５）は、前記背板（１２）内における両ガイドアーム（１８）の上部と下部のそれぞれに形成され対向配置されたラック（２０）と、背板内に軸支されて両ラックに歯合し、その回転方向に応じてガイドアーム同士を接近離間させるピニオン（２２）と、前記ガイドバーの上部に縦方向に形成されて、前記ピニオンに回転を付与するラック（２３）とを備えたことを特徴とする請求項１に記載の携帯端末の車載用ホルダ。
【請求項３】
前記底板（１７）は、前部中央が開口したＣ形をしていることを特徴とする請求項１または２に記載の携帯端末の車載用ホルダ。
【請求項４】
前記車載用ホルダは、前記ホルダ本体（１）と、車室内に固定されて前記ホルダ本体を上下左右に傾動可能に連結した支持部（２）とを備えることを特徴とする請求項１〜３のいずれか１つに記載の携帯端末の車載用ホルダ。
【請求項５】
前記支持部（２）における取付基部（３）は、サクションパッド（４）を介して車室内のダッシュボード（ＤＢ）に固定されるものであることを特徴とする請求項４記載の携帯端末の車載用ホルダ。
【請求項６】
前記支持部（２）における取付基部（３０）の上部は、クリップを介してダッシュボード（ＤＢ）に開口された空調吹き出し口のルーバ（３９）に引っ掛け係止されるとともに、取付基部の下部側はダッシュボードに両面粘着テープを介して貼着されるものであることを特徴とする請求項４記載の携帯端末の車載用ホルダ。
【請求項７】
前記支持部（２）は、車室内における座席のヘッドレストシャフトに固定されるものであることを特徴とする請求項４記載の携帯端末の車載用ホルダ。
【請求項８】
前記支持部（２）は、少なくとも一対の挟持片と該挟持片に連結されるばね部材とを具備し、前記挟持片にて前記車室内における所定の箇所を前記バネ部材の付勢力にて挟み、前記ホルダ本体を固定することを特徴とする請求項４記載の携帯端末の車載用ホルダ。
【考案の詳細な説明】
【技術分野】
【０００１】
本考案は携帯電話やスマートフォン、タブレット型端末などの携帯端末の車載用ホルダに関する。
【背景技術】
【０００２】
携帯端末の車載用ホルダとして、従来特許文献１に示す電話機ホルダや、特許文献２に示す携帯機器ホルダがある。前者はダッシュボードなどに固定される縦長のボックス内に携帯電話を脱着可能に収納するものである。また、後者の特許文献２のホルダは携帯端末の保持や角度調整が広範囲に可能で、視認性や、機器表面のタッチパネルの操作性も向上できるようにしたものである。
【先行技術文献】
【特許文献】
【０００３】
【特許文献１】特開平１１−５５３７７号公報
【特許文献２】特開２０１３−２５６２４０号公報
【考案の概要】
【考案が解決しようとする課題】
【０００４】
しかしながら、特許文献１のホルダでは下半部がボックス内に収容され携帯端末の表示が隠されてしまうため、各種表示を見るには不向きである。また、所謂ガラケーと称する従来型携帯電話を格納する場合には好適であるが、寸法的な関係から各種機能を持つスマートフォンなどの携帯端末に対しては小さすぎて格納することはできない。これに対して特許文献２のホルダではスマートフォンなどのような幅広の携帯端末にも十分に適用できる。しかし、携帯端末をアームで挟持する場合には左右一対の挟持アームを使用者が手指で同時に開いた状態で携帯端末を背板に押しつけ、バネ圧により挟持アームを携帯端末に押しつけて挟持するようにしているため、ホルダ本体に対する携帯端末の取り付け取り外しには両手を使用しなければならず手間がかかっていた。
【０００５】
本発明は以上の課題を解決するものであって、ダッシュボード上などにあって、その画面を運転者または助手席に位置する乗員の見やすい位置に対向すべくホルダ本体に対して携帯端末を片手でワンタッチで取り付け取り外しできる携帯端末の車載用ホルダを提供するものである。
【課題を解決するための手段】
【０００６】
前記目的を達成するため本考案は、車室内面に固定されて携帯端末Ｋの画面を運転者または助手席の乗員に対向位置させる携帯端末の車載用ホルダであって、
該車載用ホルダのホルダ本体１は、前記携帯端末Ｋの背面に当接する背板１２と、該背板１２の下部に配置されて前記携帯端末Ｋの底部に当接する底板１７と、該底板１７の上部に一体化されて前記背板１２内部を昇降するガイドバー１６と、前記背板１２の左右に配置されて前記携帯端末Ｋの左右側縁に当接する一対の側板１９と、該両側板１９のそれぞれに一体化されて前記背板１２の内部に出没可能なガイドアーム１８と、前記ガイドバー１６を常時上昇位置に付勢するばね２７と、前記ガイドバー１６の昇降動作に連繋して前記左右のガイドアーム１８同士を離接させる連繋機構１５を備えたものである。
【０００７】
また本考案の連繋機構１５は、前記背板１２内における両ガイドアーム１８の上部と下部のそれぞれに形成され対向配置されたラック２０，２０と、背板１２内に軸支されて両ラック２０，２０に歯合し、その回転方向に応じて前記ガイドアーム１８，１８同士を接近離間させるピニオン２２と、前記ガイドバー１６の上部に縦方向に形成されて、前記ピニオン２２に回転を付与するラック２３とを備えた構造が好ましい。
【０００８】
さらに本考案では、前記底板１７は、前部中央が開口したＣ形をしていることが望ましい。
【０００９】
また、本考案では、前記車載用ホルダは、前記ホルダ本体１と、車室内に固定されて前記ホルダ本体１を上下左右に傾動可能に連結した支持部２とを備えることとしても良い。
【００１０】
またさらに本考案では、前記支持部２における取付基部３は、サクションパッド４を介して車室内のダッシュボードＤＢに固定されるものであることができる。
【００１１】
さらにまた本考案では、前記支持部２における取付基部３０の上部は、クリップを介してダッシュボードＤＢに開口された空調吹き出し口のルーバ３９に引っ掛け係止されるとともに、取付基部３０の下部側はダッシュボードＤＢに両面粘着テープを介して貼着される構造も採用できる。
【００１２】
また本考案では、前記支持部２は、車室内における座席のヘッドレストシャフトに固定されるものとすることができる。
【００１３】
さらにまた本考案では、前記支持部２は、少なくとも一対の挟持片と該挟持片に連結されるばね部材とを具備し、前記挟持片にて前記車室内における所定の箇所を前記バネ部材の付勢力にて挟み、前記ホルダ本体を固定する構成としても良い。
【考案の効果】
【００１４】
本考案によれば、片手で携帯端末をホルダ本体の底板に押しつければ、底板が下降し、連繋機構を介して左右の側板同士が開いて、携帯端末を背板に押し当てることができ、この状態で手を離せば、両側板がばねの付勢力にて閉じて携帯端末の両側を保持することができる。これにより携帯端末は、左右と下とを左右側板と底板とで挟持状態にしっかり保持される。また携帯端末を外すには、携帯端末を底板方向に押す操作にて、側板同士が連繋機構を介して開き、これにより挟持状態を解除されて取り外しできる。このように本考案によれば、携帯端末を片手でホルダ本体に対してワンタッチで着脱可能となり、操作性が向上するものである。また、携帯端末は、底板と左右側板とで挟持状態で保持され、画面を遮らないことから、確実に視認が可能であり、またタッチパネル操作も支障がない。
【００１５】
請求項２の構成とすることにより、連繋機構を簡単に構成できる。
【００１６】
請求項３の構成とすることにより、Ｃ形の前部開口を通じて携帯端末に接続した状態のままの充電端子及びケーブルなどが妨げにならずに携帯端末をホルダ本体に取り付けできる。
【００１７】
請求項４の構成とすることにより、支持部を介することで、携帯端末を車室内の所望の向きに変え視認性を良好に取り付けることが可能となる。
【００１８】
請求項５の構成とすることにより、サクションパッドの吸着を利用して支持部をダッシュボードに取り付けできる。
【００１９】
請求項６の構成とすることにより、空調吹き出し口を利用して支持部をダッシュボードに取り付けできる。
【００２０】
請求項７の構成とすることにより、ヘッドレストシャフトを介して車室内における所望の向き、例えば後部座席に向けるなども可能となる。
【００２１】
請求項８の構成とすることにより、挟持片によって車室内におけるいずれかの位置に挟持固定でき、携帯端末の固定位置、画面の向きを自由に設定可能となる。
【図面の簡単な説明】
【００２２】
【図１】（ａ）〜（ｄ）は本考案の第一の実施形態による携帯端末の車載用ホルダの角度姿勢を示す側面図である。
【図２】同ホルダにおけるホルダ本体の分解斜視図である。
【図３】同ホルダ本体を含むホルダ全体の組立状態を示す斜視図である。
【図４】（ａ），（ｂ）は同ホルダ本体に対する携帯端末の取り付け操作を示す斜視図及び正面図である。
【図５】（ａ），（ｂ）はガイドアーム同士の拡縮時における内部機構の動作を示す正面図である。
【図６】（ａ），（ｂ）はガイドバーの昇降時における内部機構の動作を示す正面図である。
【図７】（ａ）〜（ｆ）は同ホルダ本体に対する携帯端末の取り付け取り外し手順を示す斜視図である。
【図８】は本考案の第二の実施形態を示す側面図である。
【考案を実施するための最良の形態】
【００２３】
以下本考案の最適な実施形態を添付図面を参照して説明する。
図１において、車載用ホルダは、スマートフォンなどの携帯端末Ｋが直接取り付けられるホルダ本体１と、本体１を種々の角度姿勢に保持するとともに、それ自体が車室内のダッシュボードなどに固定される支持部２とを備える。
【００２４】
支持部２は、取付基部としての湾曲円盤形状のサクションリフター３と、サクションリフター３の底面に配置されたサクションパッド４と、サクションリフター３に傾動可能に装着されたサクションパッド４の吸着動作用レバー５と、サクションリフター３の上部一端に立設されたブラケット６と、ブラケット６の上部に回動可能に連結され、かつ調整ねじ７の締め緩めに応じて傾動固定可能なステー８と、ステー８の先端に二股をなして円環状に一体化され、かつ外側に多数のチルト爪を形成した一対のチルト盤９と、チルト盤９に歯合してチルト盤９回りを周回移動可能な移動体１０と、移動体９の先端に一体化された球面軸受１１と、取付部１を構成する背板１２の背面に突設されて、前記球面軸受１１に対して左右上下揺動可能に支持された球体部１３と、両チルト盤９間に配置されてその締め緩めにより、前記球体部１３回りの回動及び、移動体１０の周回移動の規制・緩和を行う調整ダイヤル１４を備える。
【００２５】
図１（ａ）ではレバー５が上がっており、サクションリフター３はダッシュボードＤＢに固定されておらず、この状態から、矢印のごとくレバー５を倒せば、サクションリフター３はサクションパッド４によりダッシュボードＤＢに吸着固定され、（ｂ）に示すように例えばダッシュボードＤＢの前面側傾斜面などに支持部２を固定できる。なお、ブラケット６とステー８間の最大回動角度は（ｂ）に示すごとく、１２０°程度であり、移動体１０の周回角度は（ｃ）に示すごとくかなり大きく、球体部１３の揺動角度は上下左右とも３０°程度とかなり低いので、それぞれの特性に応じた角度調整を行えば、取付部１に固定される携帯端末Ｋの表示面に対する最適目線に適合した姿勢とすることができる。
【００２６】
但し、取付部１の前傾姿勢が大きくなるような調整方法は、携帯端末Ｋの支持強度維持の観点からも避けるべきである。また、ダッシュボードＤＢが粗面である場合にはサクションパッド４による吸着効果が低減するため、予め粘着剤を介して平滑なフィルムや平板を取付面に貼着しておき、このフィルムや平板を介してその上面にサクションパッド４を吸着させれば強固な固定ができる。
【００２７】
前記ホルダ本体１は図２〜図６に示すように、前記球体部１３を背面に一体化した前述する背板１２と、背板１２の下部に挿通されるガイドバー１６を介して昇降可能な底板１７と、背板１２内の左右に挿通されるガイドアーム１８に結合して横移動可能な一対の側板１９とからなっている。
【００２８】
背板１２は、特に図２に示すように、背板前１２ａと背板後１２ｂとに２分割され、ビスＢにより連結される。そしてそれぞれのパーティング面の両側及び底部には底板１７及び側板１９を縦横移動可能に挿通するための切り欠きが形成され、両者の接合により形成されるスリット状の挿通孔には前記両側板１９に横設された前記ガイドアーム１８，１８、及び底板１７上に立設された前記ガイドバー１６を左右方向及び昇降方向に移動可能に挿通している。
【００２９】
ガイドアーム１８の内側上下にはそれぞれラック２０並びにガイドロッド２１が横方向に延設されている。本実施形態では、左右のガイドアーム１８，１８，ラック２０，ガイドロッド２１は所謂点対称形状であり、左右のガイドアーム１８で両者は上下逆配置となって、背板１２の中央に回転可能に軸支されたピニオン２２の大径部２２ａにそれぞれのラック２０，２０が上下から歯合し、特に図５（ａ），（ｂ）に示すように、ガイドアーム１８が背板１２内に入り込み、両側板１９が背板１２の側端縁に接した状態から、ピニオン２２が回転することにより、左右のラック２０，２０が互いに離間方向に移動する結果、ガイドアーム１８が互いに離間し、両側板１９が背板１２の側面から離間する、すなわち間隔を広げるようになっている。
【００３０】
また、ガイドバー１６の上部にはラック２３が縦方向に形成され、このラック２３は前記ピニオン２２と一体化した小径ピニオン２４が歯合している。またガイドバー１６の下部側中央には溝１６ａが縦方向に形成されているとともに、溝１６ａの最上部には突起２５が錘設され、この突起２５と背板１２の底面中央に突設された突起２６との間に圧縮ばね２７を介挿することにより、常時ばね力をガイドバー１６に作用させ、図６（ａ）に示すように、ガイドバー１６を上位置に付勢するとともに、底板１７に矢印（図６（ｂ）中白矢印）で示す下降方向の力が加わると、図６（ｂ）に示すように小径ピニオン２４を回転させつつ下降する。このときピニオン２２も回転することによって大径部２２ａに噛み合う上下に位置するラック２０，２０がそれぞれ逆方向に移動しガイドアーム１８を互いに外側に向けて離間させ、側板１９を背板１２の両側端縁から離間させることになる。
【００３１】
なお、底板１７及び左右側板１９，１９の前縁部にはそれぞれ突条１７ａ，１９ａが突設され、また底板１７及び各側板１９，１９の携帯端末Ｋに対する接触面部にはゴム板などの高摩擦シート２８が貼着され、これらによりホルダ本体１に対する携帯端末Ｋの保持力を増加している。
【００３２】
これに加えて図２〜図４に示すように、底板１７は前部側が開口したＣ形、本実施形態では前部側の中央部分が開口して奥拡がりとなるＣ字形状をなし、特に図４（ａ）に示すように携帯端末Ｋの下部中央に充電端子Ｔが接続されている場合であっても、同図（ｂ）に示すように、携帯端末Ｋの下部の偏った位置に充電端子Ｔが接続されている場合であってもその前部開口１７ｂを通じて端子Ｔ及びそのケーブル線Ｔ１を通すことができるため、充電端子Ｔを接続したままで携帯端末Ｋをホルダ本体１に取り付け可能及び取り外し可能としている。これにより、携帯端末Ｋを、車載バッテリーを電源とする充電に対応することができ、またその他の用途のケーブル線との接続に対応でき、携帯端末Ｋの使用を続けながら、ホルダ本体１に保持させることが可能となる。
【００３３】
図７はホルダ本体１に対する携帯の取り付け取り外し手順を示し、まず（ａ）に示すように、片手で底板１７に携帯端末Ｋの底部を押しつけると（ｂ）に示すように側板１９が開いて（ｃ）に示すように携帯端末Ｋを背板１２に押し当てることが可能となる。すなわち、連繋機構１５によって底板１７の下方向の移動に連繋して左右側板１９，１９がそれぞれ外方向に移動し、側板間の間隔を拡げ、これによって携帯端末Ｋは背板１２に押し当てることが可能となる。次いで（ｄ）に示すように手を離すと、圧縮ばね２７のバネ圧により底板１７が上昇して、これに連動して自動的に左右側板１９同士が閉じる（近接する）方向に同時に動き携帯端末Ｋはホルダ本体１に密着して保持される。携帯端末Ｋは、その表示面を運転者や乗員などに向けており、また左右の両側板１９、１９が表示面側を覆うことがなく表示面を構成するタッチパネルなどの操作が支障なくできるようにしている。
【００３４】
この状態から携帯端末Ｋを取り外すには、（ｅ）に示すように、携帯端末Ｋを底板１７に押しつける方向である下方向に力を加えれば、左右両側板１９，１９が同時に開いて（ｆ）に示すように、背板１２から離すことができ、その状態で取り外しできる。なお、携帯端末Ｋが離脱すれば、底板１７と両側板１９は、圧縮ばね２７のバネ圧によりそれぞれが近接する方向に同時に移動する。
【００３５】
図８は支持部２をダッシュボードＤＢのルーバ３９に取り付ける場合の第二の実施形態を示す。図において、ホルダ本体１の構造は前記第一の実施形態と同様なので説明は省略するが、支持部２は取付基部としての支持プレート３０と、支持プレート３０にブラケット３１及び角度調整用ねじ３２を介して揺動可能に取り付けられたステー３３及び取付部１の背面にあってダイヤル３４を介して左右上下回動可能に取り付けられた球体部３５を備える。
【００３６】
支持プレート３０の背面の上位置には複数のクリップ３６の先端が一体に結合されているとともに、その下部には金属板３７が設けられ、支持プレート３０の下部まで延設されている。
【００３７】
クリップ３６はダッシュボードＤＢに開口した空調吹き出し口３８内に位置するルーバ３９の一つに係合することにより、支持プレート３０の上部を固定し、空調吹き出し口３８の前面に固定している。また支持プレート３０の下部には金属板３７が延設されているとともに、ダッシュボードＤＢの形状に沿って曲折され、ダッシュボードＤＢに両面粘着テープ４０を介して固定され、支持部２のぐらつきを防止している。
【００３８】
この第二の実施形態においても支持部２をダッシュボードＤＢに強固に固定でき、そして、携帯端末Ｋをワンタッチで保持させることができる。
【００３９】
なお、上記各実施形態の他に、支持部２の構成として、図示しないが、座席のヘッドレストを構成するヘッドレストシャフトに固定される構造や、少なくとも一対の挟持片とこれら挟持片に連結されるばね部材とを具備し、対となる挟持片にて車室内における所定の箇所をバネ部材の付勢力にて挟み、ホルダ本体を固定させる構造などを採用することができる。
上記ヘッドレストシャフトに固定させる構成とすれば、後部座席に向けて携帯端末の画面を向けて取り付けることができ、例えば携帯端末がタブレット型端末等の大型画面を搭載する端末である場合に後部座席においても視認可能であり、また、挟持片による固定とする構成とすれば、取り付け箇所を自由に選択可能となり、車室内のいずれの箇所においても携帯端末を固定させることが可能となり、画面の向きも自由に設定可能となるとともに、設置固体箇所や画面向きを容易に変更が可能なものとなる。
また、上記支持部２については、このほかの構造、構成としてもよく、車室内に対して容易に固定可能とされ、ホルダ本体１を上下左右に傾動可能とする構成であれば、例えばフレキシブルアームなどで構成されることとしても良い。
【符号の説明】
【００４０】
１…ホルダ本体
２…支持部
３…取付基部（３…サクションリフター）
４…サクションパッド
５…吸着動作用レバー
６，３１…ブラケット
７，３２…調整ねじ
８，３３…ステー
９…チルト盤
１０…移動体
１１…球面軸受
１２…背板
１３，３５…球体部
１４，３４…ダイヤル
１６…ガイドバー
１７…底板
１８…ガイドバー
１９…側板
２０…ラック
２１…ガイドロッド
２２…大径ピニオン
２３…ラック
２４…小径ピニオン
２５，２６…突起
２７…ばね（圧縮ばね）
２８…高摩擦シート
３０…取付基部（取付プレート）
３６…クリップ
３７…金属板
３９…ルーバ
４０…両面粘着テープ
ＤＢ…ダッシュボード
Ｋ…携帯端末
Ｔ…充電端子
Ｔ１…ケーブル
【図１】
0003211364.tif 000003
【図２】
0003211364.tif 000004
【図３】
0003211364.tif 000005
【図４】
0003211364.tif 000006
【図５】
0003211364.tif 000007
【図６】
0003211364.tif 000008
【図７】
0003211364.tif 000009
【図８】
0003211364.tif 000010